(57)【特許請求の範囲】
【請求項１】
化粧用製品を収容する等のために設計された容器に取り付けられるキャップ（１）であって、容器（１００）内の圧力に応じて、閉止部分（２４）が製品分配口（９）を選択的に開閉可能な移動部材（７）を具備し、該移動部材（７）は弾性的に変形可能な取り付け部材（８）によってキャップに保持され、上記取り付け部材（８）はまたキャップ内にシール部材（５０）を形成し、該シール部材は製品分配口（９）とは分離した少なくとも一つの空気取り込み流路（３４，３５）を選択的に開閉可能であるキャップ。
【請求項２】
移動部材（７）の上記閉止部分（２４）が、取り付け部材（８）により作用させられる弾性復元力の作用の下で、かつ容器内の圧力上昇のない状態で、上記分配口（９）を少なくとも部分的に形成しているシート部（２２）を弾性的に押圧可能であり、上記閉止部分（２４）は容器（１００）内の上昇圧に応答して上記分配口（９）を通して製品が分配されるように上記シート部（２２）から離れる方向に移動し、上記圧力上昇が消失するときに復帰して上記シート部（２２）を密封状態で押圧可能であることを特徴とする請求項１に記載のキャップ。
【請求項３】
上記取り付け部材（８）が上記キャップの壁部（５）を貫通する流路（６）内に軸線（Ｘ）に沿って配設され、上記流路（６）内に上記取り付け部材（８）を保持する手段（１７）が設けられたことを特徴とする請求項１又は２に記載のキャップ。
【請求項４】
上記分配口（９）を少なくとも部分的に形成しているシート部（２２）は上記取り付け部材（８）により形成されていることを特徴とする請求項１ないし３の何れか１項に記載のキャップ。
【請求項５】
上記分配口（９）を少なくとも部分的に形成しているシート部（２２）は上記取り付け部材（８）により形成されており、上記少なくとも一つの空気取り込み流路（３４，３５）が上記取り付け部材（８）と上記壁部（５）を貫通する流路（６）を形成する縁部との間に形成されていることを特徴とする、請求項３に記載のキャップ。
【請求項６】
上記取り付け部材（８）が、熱可塑性エラストマー又は架橋エラストマーから選択されるエラストマー材料から少なくとも部分的に製作されていることを特徴とする請求項１ないし５の何れか１項に記載のキャップ。
【請求項７】
上記材料が、ニトリル、ブチル、シリコーン、天然又は合成ラテックス、ＥＰＤＭ、ポリウレタン、ポリプロピレンとＳＢＳ、ＳＥＢＳ又はＥＰＤＭの混合物、超低密度ポリエチレン、ポリエステルグリコール（ＴＰＵ）又はポリエーテルグリコール（ＰＥＢＡ及びＣＯＰＥ）系ブレンド及び軟質ポリ塩化ビニル（ＰＶＣ）から選択されることを特徴とする請求項６に記載のキャップ。
【請求項８】
容器（１００）内の減圧状態が予め定まった値以下であるとき、上記シール部材（５０）が容器（１００）内の上記壁部（５）を貫通する流路（６）の少なくとも一部の回りに形成された内部シート部（３２）と密封状態で接触し、上記シール部材（５０）が上記予め定まった値に到達したときに上記内部シート部（３２）から離れる方向に移動して、容器（１００）内に空気が取り込まれ、上記予め定まった値以下に容器（１００）内の減圧量が減少すると上記内部シート部（３２）に密封状態で接触する位置に弾性的復元により復帰可能であることを特徴とする請求項３ないし７の何れか１項に記載のキャップ。
【請求項９】
保持手段（１７）は上記壁部（５）を貫通する流路（６）の最小の直径より大なる最大直径を持つ取り付け部材（８）の環状部分（１７）からなり、該環状部分（１７）は上記分配口（９）を形成しているシート部（２２）を形成することを特徴とする請求項３ないし８の何れか１項に記載のキャップ。
【請求項１０】
取り付け部材（８）が保持手段（１７）とシール部材（５０）の間に形成された中間部分（１８）を有し、該中間部分（１８）は上記分配口（９）と連通し、上記流路（６）を貫通して容器（１００）内のその軸線方向の高さの少なくとも一部にわたって延びていることを特徴とする請求項９に記載のキャップ。
【請求項１１】
シール部材（５０）が、取り付け部材（８）により形成され、上記中間部分（１８）上の内部シート部（３２）に向けて折り返されるスカート部（１９）により形成され、上記折り返しスカート部（１９）は、容器内の減圧量が上記予め定まった値より低いときに弾性的に付勢されて、上記スカート部（１９）の領域（２０，５１）が内部シート部（３２）に密封状態で接触することを特徴とする請求項１０に記載のキャップ。
【請求項１２】
シール領域（５１）が上記スカート部の自由縁部から離れて位置したスカート部の領域であることを特徴とする請求項１１に記載のキャップ。
【請求項１３】
内部シート部（３２）が、流路（６）の近くの上記キャップの壁部（５）により形成され、スカート部のシール領域（５１）が密封状態で押圧されるリム部（３２０）からなることを特徴とする請求項１２に記載のキャップ。
【請求項１４】
シール領域がスカート部の自由縁部により形成されたリップ部（２０）からなることを特徴とする請求項１１に記載のキャップ。
【請求項１５】
上記スカート部（１９）が、形状が特にＶ字形又はＵ字形であり、中間部分（１８）と取り付け部材（８）の内面の上記スカート部（１９）の間に形成された環状溝（３１）により形成された折り畳み領域の回りで折り返されることを特徴とする請求項１１ないし１４の何れか１項に記載のキャップ。
【請求項１６】
移動部材（７）が、分配口（９）のシート部（２２）により形成され、移動部材（７）の閉止部分（２４）が容器（１００）内の圧力上昇のない状態で係合する第１の係止部と、上記取り付け部材（８）により形成され、上記移動部材（７）の係止部分（２８）が弾性的に係合する第２の係止部（４４）の間に保持されていることを特徴とする請求項２ないし１５のいずれか１項に記載のキャップ。
【請求項１７】
第２の係止部が、上記取り付け部材（８）により形成された軸方向のスカート部（４３）の自由縁部（４４）からなり、該スカート部（４３）の自由縁部（４４）は、容器（１００）内の圧力上昇のない状態で付勢されて、上記移動部材（７）の上記係止部分（２８）と弾性的に係合せしめられ、移動部材（７）の閉止部分（２４）を付勢して上記分配口（９）を少なくとも部分的に形成しているシート部（２２）を密封状態で押圧することを特徴とする請求項１６に記載のキャップ。
【請求項１８】
移動部材（７）の係止部分が、上記移動部材（７）の閉止部分（２４）とは反対の端部に配設され、複数の等間隔の半径方向のタブ部（４０，４１）を介して移動部材（７）に取り付けられた環体（２８）から形成され、該環体（２８）の内縁部（４２）は上記タブ部（４０，４１）と協働して分配口（９）に向けて製品の複数の流路を形成することを特徴とする請求項１７に記載のキャップ。
【請求項１９】
第２の係止部が、上記移動部材（７）の一部分（２７）を把持する取り付け部材（８）の環状部分（２６）からなり、該環状部分に移動部材（７）の上記係止部分（２８）が弾性的に係合し、移動部材（７）の閉止部分（２４）を付勢して上記分配口（９）を少なくとも部分的に形成しているシート部（２２）を密封状態で押圧するように構成されたことを特徴とする請求項１６に記載のキャップ。
【請求項２０】
取り付け部材（８）の上記環状部分（２６）が中間部分（１８）内に配設され、分配口（９）に向けて製品の複数の流路を形成するように複数の等間隔に離間した半径方向のタブ部（２５）により取り付け部材（１８）に接続されていることを特徴とする請求項１０ないし１５及び１９の何れか１項に記載のキャップ。
【請求項２１】
移動部材（７）の閉止部分（２４）は、該移動部材（７）の閉止部分（２４）が上記分配口（９）を少なくとも部分的に形成しているシート部（２２）に密封状態で押しつけられたときに、キャップ（１）の上記壁部（５）の外表面と一致するか、又は後方に位置するように設計された外表面（５２）を有していることを特徴とする請求項３ないし２０のいずれか１項に記載のキャップ。
【請求項２２】
取り付け部材（８）が内部に配設された流路（６）が、
ａ）容器の外側の、上記壁部（５）の厚みの一部分にわたって延びる第１の部分（１３）であって、第１の直径を有する第１の部分（１３）；及び
ｂ）容器（１００）の内側の、上記壁部（５）の厚みの残りの部分にわたって延びる第２の部分（１４）から形成され、上記第２の部分（１４）は第１の部分よりも小なる第２の直径を有し、シール部材（５０）は第２の直径より大なる最小直径を有していることを特徴とする請求項３ないし２１のいずれか１項に記載のキャップ。
【請求項２３】
第１の部分（１３）が上記取り付け部材（８）に形成される対応する肩部（２１）と係合せしめられる肩部（１５）により第２の部分（１４）と分離され、少なくとも一つの空気取り込み流路（３４，３５）を形成するように一又は複数の溝（１６）が少なくとも上記肩部（１５，２１）の一方又は他方の表面に形成されていることを特徴とする請求項２２に記載のキャップ。
【請求項２４】
上記溝（１６）が上記第１の部分（１３）と第２の部分（１４）の側方縁部上に軸方向に連続していることを特徴とする請求項２３に記載のキャップ。
【請求項２５】
上記分配口（９）を開閉自在に覆うことが可能な蓋（１０）、特にキャップにヒンジ結合されたものを具備することを特徴とする請求項１ないし２４の何れか１項に記載のキャップ。
【請求項２６】
上記容器（１００）に、特にスナップ締結又はネジ締結により、取り付けることを可能にする手段（２，１２）を具備することを特徴とする請求項１ないし２５の何れか１項に記載のキャップ。
【請求項２７】
上記移動部材（７）が、ポリエチレン又はポリプロピレン等の弾性的に変形可能ではない熱可塑性材料から形成されていることを特徴とする請求項１ないし２６の何れか１項に記載のキャップ。
【請求項２８】
ポリエチレン、ポリプロピレン又はポリ塩化ビニル等の熱可塑性材料を成形することにより得られたことを特徴とする請求項１ないし２７の何れか１項に記載のキャップ。
【請求項２９】
請求項１ないし２８の何れか１項に記載のキャップ（１）が取り付けられたことを特徴とする化粧用製品を包装等するための容器。
【請求項３０】
本体（１０１）を具備し、その一端が端面壁（１０２）により閉止され、容器の他端が首部（１０３）を形成し、その自由縁部が開口部（１０４）を形成し、上記キャップ（１）が首部（１０３）に取り付けられ、容器の本体（１０１）が少なくとも一つの弾性的に変形可能な壁部（１０９）を有しており、該変形可能な壁部（１０９）にかけられる圧力により容器（１００）内に圧力上昇を引き起こし、キャップ（１）の移動部材（７）の閉止部分（２４）を付勢して分配口（９）のシート部（２２）から離れる方向に移動させ、製品を上記分配口（９）から放出させることを特徴とする請求項２９に記載の容器。
【請求項３１】
シャンプー等のヘアケア製品、ボディケア製品、スキンケア又はメークアップ製品、又は日光保護製品等の化粧用製品を収容し分配するための、請求項２９又は３０に記載の容器（１００）。
【発明の詳細な説明】
【０００１】
【発明の属する技術分野】
本発明は、特にある種の化粧用製品、例えばヘアケア製品、ボディケア製品、スキンケア又はメークアップ製品、あるいは日光保護製品を収容（包装）し分配するために使用されるタイプの容器に取り付けられるキャップに関する。本発明はまたそのようなキャップを備えた容器をも対象とする。
【０００２】
【従来の技術及び発明が解決しようとする課題】
化粧品の分野、特にヘアケア製品（シャンプー及びコンディショナー）又はボディケア製品（シャワーゲル又は液体石鹸）の分野では、かなり多くの製品がシャワーに使用される。そのような製品を収容するために一般的に使用される容器に伴う問題の一つは、これらの容器は端面壁を一般に有しており、首部にスナップ締結又はネジ締結された分配キャップ又はネジ式閉止体を備えた首部により囲まれていることから生じる。使用の際に閉止体のネジを緩めなければならず、あるいはキャップは開放されなければならず、瓶は逆さにしなければならず（瓶が殆ど空である場合は瓶を待つか振る）、瓶の壁部を締め付けて所望の量の製品を絞り出し、瓶を安定して置き、使い終わった場合には、好ましくは一方の手で再び栓をしなければならない。
【０００３】
最近、平坦な表面を有し、頭部を下にした姿勢で該表面上に置いておけるキャップを備えた収容体が市場に出ており、キャップは容器の壁部を絞ることにより開放され、容器内につくり出される減圧状態及び／又は「小袋（teat）」としても知られている開放バルブが形成された材料の弾性の効果によってキャップは程度の差はあれ自動的に閉止する。
しかして、少なくとも一つのスリットが貫通するエラストマー膜を持つタイプのキャップがSeaquist（登録商標）又はCoster（登録商標）社によって特に市販されて既に存在している。休止位置では膜は凹状を有しており、スリットを形成している縁部は十分に近接していて要求されたレベルのシールを提供している。容器内が減圧状態にある場合、特に各使用後に、スリットは容器に向けて開放し、容器内に空気が入るのを許容する。製品の圧力下で膜は逆になって上記スリットを通じての製品の分配に適した凸形状を示すことができる。
【０００４】
このタイプのキャップに伴う欠点の一つは２回の使用の間の膜の窪んだ形状から生じており、この窪んだ形状に製品が溜まるおそれがあり、それが乾燥し、見た目が悪くなる以外にも、次の使用の際に製品を適切に分配することができなくなるおそれがある。更に、行動研究によれば、使用者は、興味本位に、製品が膜を通って出てくるのが見えるように頭部を上に向けた位置で装置を使用してみようとする。比較的速い速度でかつ急な工程で起こる膜の逆転は製品の液滴を放出しうる。このようにして放出された液滴は使用者の目に入るおそれがある。
更に、このタイプのキャップの場合は、製品が通過する流路と同じ流路を通って空気が取り込まれるので、空気の取り込みが問題となる。一方では容器を逆にして頭部を下に向けて配されるときの２回の使用の間における容器の適切なシールを確保するために、他方では製品の容易な分配を可能にするために必要な妥協点に至ることはしばしば困難である。
【０００５】
よって、本発明の目的の一つは、特に化粧品を収容するために設計された容器に取り付けられ、従来の装置を参照して上述した問題を完全に又は部分的に解決するキャップを製作することにある。
特に、本発明の一つの目的は、製作が容易かつ経済的で、使用において良好な自由度を提供し、使用の過程で満足できる清潔さと衛生性を維持することを可能にするキャップを製作することにある。
本発明の他の目的は、一方では、キャップが取り付けられている容器のシール性を有意に低下させることのない効果的な空気の取り込みと、他方では製品の簡易な分配との間の良好な妥協点を提供するキャップを製作することにある。
本発明の他の目的は、本発明に係るキャップを備え、輸送されるときに良好な平静感をもたらし、頭部を下にして保管したとき安定しており、製品を直ぐに使用することを可能にする容器を提供することにある。
更に他の目的は以下の詳細な記述において明らかになるであろう。
【０００６】
【課題を解決するための手段】
発明によれば、これらの目的は、化粧用製品を収容するために特に設計された容器に取り付けられるキャップを製作することにより達成され、該キャップは、容器内の圧力に応じて、閉止部分が製品分配口を選択的に開閉可能な移動部材を具備し、該移動部材は弾性的に変形可能な取り付け部材によってキャップに保持され、上記取り付け部材はまたキャップ内にシール部材を形成し、該シール部材は製品分配口とは分離した少なくとも一つの空気取り込み流路の選択的な開閉を可能にする。
よって、製品が放出される流路とは別個の一又は複数の流路を通って空気が取り込まれる。よって、かかるキャップの操作パラメータを決定する場合、製品の分配容易性を２回の使用の間において必要とされるシールのために犠牲にする必要はなく、その逆もしかりである。更に、２回の使用の間において一又は複数の空気取り込み流路は密封状態で閉止され、これにより適切にシールされた包装を維持することが可能になる。更に、同じ取り付け部材が、一方では分配口に移動部材を保持し、他方では一又は複数の空気取り込み流路を選択的に開閉可能なシール部材を形成する。
【０００７】
好適には、移動部材の上記閉止部分は、取り付け部材により作用させられる弾性復元力の作用の下で、かつ容器内に圧力上昇のない状態で、上記分配口を少なくとも部分的に形成しているシート部を弾性的に押圧可能であり、上記閉止部分は容器内の上昇圧に応答して上記分配口を通して製品が分配されるように上記シート部から離れる方向に移動し、上記圧力上昇が消失するときに復帰して上記シート部を密封状態で押圧することが可能である。
移動部材の閉止部分は弾性的に変形可能な取り付け部材により生じる復元力と所定用量の製品の分配に応答して容器内に発生させられる減圧の組み合わせ作用の下に閉止位置に復帰せしめられる。
【０００８】
好ましくは、上記取り付け部材は上記キャップの壁部を貫通する流路内にＸ軸に沿って配設され、上記流路内に上記取り付け部材を保持する手段が設けられる。
また好ましくは、上記分配口を少なくとも部分的に形成しているシート部は上記取り付け部材自体により形成されている。よって、取り付け部材がエラストマー材料を成形することにより得られる場合、移動部材の閉止部分が押圧するシート部は弾性的に変形可能であり、分配口が閉止されるときにシールを顕著に改善するように作用する。
空気取り込み流路は上記取り付け部材と上記壁部を貫通する流路を形成する縁部との間に形成されうる。この空気取り込み流路は上記取り付け部材の回りに等間隔に離間した複数の不連続の流路あるいは取り付け部材の直ぐ回りに形成された連続した環状流路から形成することができる。
【０００９】
好ましくは、取り付け部材は、少なくとも部分的に、熱可塑性エラストマー又は架橋エラストマーから選択されるエラストマー材料から製作される。例を挙げると、ニトリル、ブチル、シリコーン、天然又は合成ラテックス、ＥＰＤＭ、ポリウレタン、ポリプロピレンとＳＢＳ、ＳＥＢＳ又はＥＰＤＭの混合物、超低密度ポリエチレン、ポリエステルグリコール（ＴＰＵ）又はポリエーテルグリコール（ＰＥＢＡ及びＣＯＰＥ）系ブレンド及び軟質ポリ塩化ビニル（ＰＶＣ）を挙げることができる。好ましくは、採用される実施態様に応じて、そのような材料は２０ショアーＡから４０ショアーＤ、好ましくは４０ショアーＡから７５ショアーＡの硬度を有している。その弾性は０．５から５ＭＰａの範囲、好ましくは０．８から２ＭＰａの範囲（伸び１００％での引張応力）の範囲でありうる。
【００１０】
好適な実施態様では、容器内の減圧状態が予め定まった値以下である場合、シール部材は容器内の上記壁部を貫通する流路の少なくとも一部の回りに形成されたシート部と密封状態で接触しており、上記シール部材は上記予め定まった値に到達したときに上記内部シート部から離れる方向に移動して、容器内に空気が取り込まれ、上記予め定まった値以下に容器内の減圧が減少すると上記内部シート部に密封状態で接触するその位置に弾性的復元により復帰可能である。
取り付け部材の保持手段は上記壁部を貫通する流路の最小の直径より大なる最大直径を持つ取り付け部材の環状部分からなり、該環状部分は上記分配口を形成する内縁部を有する。
【００１１】
特定の実施態様では、取り付け部材は保持手段とシール部材の間に形成された中間部分を有しており、該中間部分は上記分配口と連通し、上記流路を貫通して容器内のその軸線方向の高さの少なくとも一部にわたって延びている。好ましくは、中間部分は環状の形状であり分配口に中心を有している。
本発明の特に有利な特徴では、シール部材は取り付け部材により形成され、上記中間部分上の内部シート部に向けて折り返されるスカート部により形成され、該折り返しスカート部は、容器内の減圧量が上記予め定まった値より低いときに弾性的に付勢されて、上記スカート部の領域が内部シート部に密封状態で接触する。
【００１２】
好適には、シールを提供することを意図した領域は上記スカート部の自由縁部から離れて位置したスカート部の領域であり、シート部は、スカート部のシール領域が密封状態で接触するリム部を備えている。例えば、シール領域はスカート部の自由縁部から０．５から３ｍｍ離れた距離に位置している。このようにして、折り返し領域の回りに更に多くの変動が許容され、その変動が、その役割を満足に果たすことを妨げないでリム部にスカート部のどの領域が接触するかに影響を及ぼす。従って、シート部は壁部を貫通する流路近くのキャップの壁部により形成され、スカート部のシール領域が押圧されるリム部からなる。
【００１３】
他の実施態様では、シール領域はスカート部の自由縁部により形成されたリップ部からなる。
スカート部は、形状が特にＶ字形又はＵ字形であり、中間部分と取り付け部材の内面の上記スカート部の間に形成された環状溝により形成された折り畳み領域の回りで折り返される。他の溝の形状もまた可能である。
好適には、移動部材は分配口のシート部により形成され、移動部材の閉止部分が容器内の圧力上昇のない状態で係合する第１の係止部と、上記取り付け部材により形成され、上記取り付け部材の係止部分が弾性的に係合する第２の係止部の間に保持されている。
【００１４】
第１の実施態様では、第２の係止部は上記取り付け部材により形成された軸方向のスカート部の自由縁部からなり、該スカート部の自由縁部は、容器内の圧力上昇のない状態で付勢されて、上記移動部材の上記係止部と弾性的に係合せしめられ、後者の閉止部分を付勢して上記分配口を少なくとも部分的に形成するシート部を密封状態で押圧する。このように付勢されて弾性係合すると、スカート部は軸方向に圧縮される。圧縮は製品の圧力下でより強調され、これは、移動部材の閉止部分が分配口のシート部から離脱できることを意味する。
この第１の実施態様では、移動部材の係止部分は上記移動部材の閉止部材とは反対の端部に配設され、複数の等間隔の半径方向のタブを介して移動部材に取り付けられた環体から形成され、該環体の内縁は上記タブと協働して分配口に向けて製品の複数の流路を形成する。
【００１５】
本発明の第２の実施態様では、第２の係止部は上記移動部材の一部分を把持する取り付け部材の環状部分からなる。移動部材の係止部分は、取り付け部材の環状部分と弾性的に係合するように意図され、移動部材の閉止部分を付勢して上記分配口を少なくとも部分的に形成しているシート部を密封状態で押圧する。よって、移動部材が取り付け部材に取り付けられると、後者の環状部分は分配口に向けて弾性的に加圧され、取り付け部材の環状部分により作用させられる復元力の効果により、移動部材の閉止部分が分配口のシート部を弾性的に押圧する。
係止部分は、閉止部分とは反対の端部に形成された、移動部材の大径部からなりうる。移動部材の係止部分には、上記環状部分が形成される材料の弾性変形性により取り付け部材の上記環状部分上を通過する能力が与えられている。あるいは、移動部材の係止部分は取り付け部材に移動部材が取り付けられた後に熱間変形（hot-deformation）により形成することができる。
【００１６】
この第２の実施態様でもまた、取り付け部材の上記環状部分は好ましくは中間部分内に配設され、分配口に向けて製品の複数の流路を形成する様に複数の等間隔に離間した半径方向のタブにより後者に接続されている。
好適には、移動部材の閉止部分は、該移動部材の閉止部分が上記分配口を少なくとも部分的に形成しているシート部に密封状態で押圧されたときに、キャップの上記壁部の外表面と一致するか、または後方に位置するように設計された外表面を有している。よって、瓶はキャップの上記外表面上に安定した形で休止させることができ、特に瓶を、頭部を下方にして置くことができ、これを非常に安定した形でなすことができる。この結果、繰り返しの使用の都度、製品は直ぐに利用できる。
【００１７】
有利には、取り付け部材が内部に配設される流路は、
ａ）容器の外側の、上記壁部の厚みの一部分にわたって延びる第１の部分であって、第１の直径を有する第１の部分；及び
ｂ）容器の内側の、上記壁部の厚みの残りの部分にわたって延びる第２の部分から形成されており、上記第２の部分は第１の部分よりも小なる第２の直径を有しており、シール部材は第２の直径より大なる最小直径を有している。
本発明において、「直径」なる用語は、直径が言及されている流路又は任意の他の部材の断面に内接されうる円の直径を意味しているものと理解されなければならない。円形断面が好ましいが、異なった形状の断面を考えることも可能である。
【００１８】
流路の第１の部分は好ましくは上記取り付け部材により形成される対応する肩部と係合せしめられる肩部により第２の部分と分離されており、少なくとも一つの空気取り込み流路を形成するように一又は複数の溝が少なくとも上記肩部の一方又は他方の表面に形成される。好ましくは、上記溝は上記第１の部分と第２の部分の側方縁部上に軸方向に連続している。
本発明に係るキャップは、上記分配口を可逆的に覆うことができる蓋、特にキャップにヒンジ結合されたものを具備していてもよい。該蓋は、分配口が形成されたキャップの面に瓶を直接置くことができるように、格納され、格納位置に（特にスナップ締結により）係止することができる。よって、繰り返しの使用の都度、製品の分配が更に速やかになる。蓋は、少なくとも一つのフィルムヒンジにより、又は特に開放補助及び閉止補助タイプの任意の他の回動機構によってキャップにヒンジ結合することができる。
【００１９】
本発明に係るキャップは、好ましくは、上記容器に、特にスナップ締結又はネジ締結により、取り付けることを可能にする手段を具備する。このようなキャップは、熱可塑性材料、例えばポリエチレン、ポリプロピレン又はポリ塩化ビニルを成形することにより得ることができる。移動部材とその関連する取り付け部材はキャップが成形された後に取り付けられる。
移動部材はまた熱可塑性材料、好ましくはポリエチレン又はポリプロピレンのような弾性的に変形可能ではないものを成形することにより得ることができる。
【００２０】
発明の他の側面では、特に化粧用製品を収容するように設計され、本発明に係るキャップを備えた容器がまた製作される。
かかる容器は本体を具備し、その一端は端面壁により閉止され、容器の他端は首部を形成し、その自由縁部は開口部を形成し、上記キャップが首部に取り付けられている。容器の本体は好ましくは少なくとも一つの弾性的に変形可能な壁部を有しており、上記変形可能な壁部にかけられる圧力により容器内に圧力上昇を引き起こし、キャップの移動部材の閉止部分を付勢して分配口のシート部から離れる方向に移動させ、製品を上記分配口から放出させるようになっている。
本発明はまた化粧用製品を分配するためのかかる容器の使用に関する。
【００２１】
【発明の実施の形態】
本発明は、上に記載した構成とは別に、添付図面を参照しながら説明する幾つかの非限定的な例示的実施態様に対して以下に記載する所定数の他の構成からなる。
図１（ａ）及び図１（ｂ）に示された容器１００は、一端が丸い端面壁１０２によって閉塞された本体１０１を具備している。容器の本体１０１は、特にポリエチレン又はポリプロピレンをベースとし、使用者が手で圧力をかけるとへこませられ、該圧力が解かれるとその最初の形状に復帰することができる可撓性壁部１０９からなる。本体１０１にはその端面壁１０２とは反対の端部に、自由縁部が開口部１０４を定める首部１０３が形成されている。首部１０３は、キャップ１により形成された係止スカート部２の内面に形成された突出部（バルジ部）１２を収容可能な溝１０５をその外表面に有している。
【００２２】
キャップ１は、容器１００の本体１０１と同芯に形成された装飾スカート部３と、容器１００の開口部１０４内に密封状態で挿入可能なシールスカート部４とを有している。スカート部２、３及び４は、上記キャップ１の横断壁５に設けられている。横断壁５を貫通して、流路６がその軸線Ｘ上に形成され、そこに、特に製品を分配するための分配口９を画成するエラストマー材料製の取り付け部材８に結合された移動閉止部材７が取り付けられている。流路６、移動部材７及び取り付け部材８は以下の図面を参照して詳細に説明する。
【００２３】
容器１００を輸送位置において示す図１（ａ）では、フィルムヒンジ１１によってキャップ１にヒンジ結合された蓋１０が横断壁５上に折り畳まれている。図１（ａ）のこの位置では、適当なスナップ締結手段によってキャップ１に可逆的に係合されている。
２回の使用の間の「スタンバイ」位置を示している図１（ｂ）に示されるように、蓋１０は、容器１００の本体１０１の上方側面部に形成された適当な凹所１０６に格納され固定されている。容器１００は平坦面上に置かれ、頭部は下に向けられ、キャップ１の横断壁５は上記平坦面上に直接当接している。移動部材７の閉止部分は、容器１００が閉止位置にあるときに横断壁５の外面と同一面に一致する外表面５２を有しており、これにより、上記容器がキャップ１の表面（横断壁５）で安定した形で休止できるようになっている。
【００２４】
ここで、キャップ１の壁部５を貫通する流路６、取り付け部材８及び移動閉止部材７の展開斜視図を示す図２を参照する。
流路６はキャップのシールスカート部４内に形成されている。それは、壁部５の厚みのほぼ半分にわたる第１の（外方）部分１３と、壁部の厚みの残りにわたってこれに連続し、第１の部分１３より直径が小である第２の（内方）部分１４を有している。該二つの部分１３，１４は肩部１５によって分離されており、該肩部の表面には複数の半径方向に延びる溝１６が形成されている。肩部１５の半径方向に延びる溝１６は流路６の上記部分１３及び１４の側方縁に垂直に連続している。
【００２５】
キャップ１の壁部５の流路６内に挿入されるように構成された取り付け部材８は、シリコーンゴムの成形により得られる。該部材は、大径部からなる環状基部１７を具備している。基部１７は部材８が流路６内に保持されるようにするためのものである。基部１７の最大直径は流路６の上記部分１３（溝１６の上端）の内径にほぼ等しい。基部１７は、基部１７とスカート部１９の間の中間部分を形成する円筒状スカート部１８又は「脚部」によって延長せしめられ、スカート部１９の端部には後で詳細に説明するシールリップ部２０が形成されている。脚部１８は流路６の上記部分１４（溝１６の上端）の内径にほぼ等しい直径を有している。肩部２１が基部１７と脚部１８の間に形成され、キャップ１の壁部５を貫通する流路６の肩部１５と係合可能であり、よって溝１６に面して、壁部５の厚み全体にわたって延びる複数の空気取り込み流路を形成している。脚部１８の軸方向高さは、肩部２１が肩部１５に当接せしめられたときに、脚部１８が容器内に十分に入るような高さである。
【００２６】
基部１７は、その内縁部が製品９の分配口を画成する環状部材を形成しており、以下に詳細に説明する移動部材７の閉止部分２４の周縁部に形成された対応する面取り（チャンファー）部分２３を収容可能なシート部を形成する面取り部分２２が上端に形成されている。
取り付け部材８の中間部分１８内には複数の等間隔に離間したタブ部２５が半径方向に延びており、該タブ部の一端で中間部分１８に付設されたものと反対の端部は、内縁部２９が軸方向流路３０を形成している軸方向環体２６に接続されている。軸方向流路３０は上記移動部材７の係止部分２８と移動部材７の閉止部分２４の間に形成された円筒状の連結部材２７の最大直径よりも僅かに大なる直径を有している。係止部分２８は軸方向流路３０の直径よりも大なる最大直径を有している。
【００２７】
移動部材７と取り付け部材８は、移動部材の係止部分２８が軸方向流路３０を通過するようにすることにより組み立てられ、これは取り付け部材８の弾性変形のために可能になる。図３（ａ）に示されているこの組み立て状態の構造では、移動部材７は、移動部材７の係止部分２８が弾性的に係合する取り付け部材８の環体２６と取り付け部材のシート部２２の間に当接せしめられている。移動部材７の閉止部分２４の面取り縁部２３は取り付け部材８により形成されるシート部２２を弾性的に押圧している。弾性的な圧力は環状部材２６が受ける分配口９に向けての弾性的な力から生じる。この目的のためには、移動部材７の円筒状の連結部材２７の軸方向高さは取り付け部材８のシート部２２と環状部材２６の間にある距離に対して適切に選択される。
シールリップ部２０は中間部分１８と連続して形成されているスカート部１９の面取り縁部により形成されている。スカート部１９の壁部は（１ｍｍ厚以下のオーダーの）小さい厚みを有している。スカート部１８及び１９の間の接合部には、後で詳細に説明し、スカート部１９を中間部分１８上に戻すためのＶ字形の溝３１が形成されている。
キャップ１の壁部５を貫通する流路６への（移動部材７が上記した方法で既に取り付けられた）取り付け部材８の挿入は図３（ａ）及び図３（ｂ）に示されている。
【００２８】
図３（ａ）では、取り付け部材８は流路６内に導入され、スカート部１９は中間部材１８と連続している。取り付け部材８は、肩部２１が肩部１５に係合するまで流路６内に押し込まれる。この結果、キャップの壁部５の厚みを貫通する複数の空気取り込み流路３４、３５が、これらの溝１６に面して位置する取り付け部材８の縁部と組み合わされて溝１６により画成されている。完全に押し込まれると、スカート部１９は取り付け部材８の外側に向けて折り返され（図３（ｂ）の矢印６２，６３を参照）、中間部分１８を再び弾性的に押圧しており、折り返しはＶ字形の溝３１の箇所でなされる。スカート部１９の長さは、図３（ｂ）に示された折り返し位置で、リップ部２０が折り返し領域３１と流路６を形成しているキャップの内面３２の間で若干弾性的に圧縮されることになるような値に選択される。よって、この内面３２がシールリップ部２０が弾性的に押圧するシート部を形成する。
キャップ１が図３（ｂ）の配置にあるときは、移動部材７の閉止部分２４は製品分配口９を形成するシート部２２に押しつけられている。同様に、シールリップ部２０は流路６を形成する壁部５の縁部に形成された内方シート部３２に密封状態で押しつけられている。しかして、空気取り込み流路３４，３５は上記リップ部２０によって容器１００の内部から隔離されている。このような構造は容器が２回の使用の間にある構造に対応する。
【００２９】
図４（ａ）及び図４（ｂ）は、図２及び図３（ａ）及び図３（ｂ）を参照して検討したものに係るキャップ１が取り付けられている容器１００の部分図である。図４（ａ）に示されているものでは、容器１００の壁部１０９に圧力を作用させることにより、容器が含んでいる製品が加圧され、移動部材７の閉止部分２４に圧を作用させて分配口９を形成しているシート部２２から離脱させる。製品は部材７の閉止部分２４の直ぐ回りに形成された環状流路を経由して放出される。製品の放出は矢印３６、３７で示されている。容器１００内の圧力が上昇したこのような構造では、シールリップ部２０がキャップの壁部５を貫通する流路６を囲むシート部３２を密封状態で押圧しており、空気取り込み流路３４及び３５に製品が入るのが防止される。
【００３０】
図４（ｂ）では、使用者が容器１００の壁部１０９に作用した圧力を解くと、容器の壁部１０９が弾性復元力によりその最初の形状に戻り、これが容器内に減圧状態をつくりだし、この減圧状態が、取り付け部材８の環体２６により作用される弾性復元力と組み合わされて、移動部材７の閉止部分２４を分配口９を形成するシート部２２に密封状態で接触する位置に戻す。製品の分配がこのようにして遮られる。容器内の減圧状態により、スカート部１９に形成されたシールリップ部２０が容器１００内の流路６を囲むシート部３２から離脱する。このようにして、容器内の公称の圧力が再確立されるまで流路３４及び３５を経由して空気が容器１００内に取り込まれる。矢印３８，３９は容器１００に向けての空気の流れを表している。その瞬間には、リップ部２０は弾性復元力により復帰してシート部３２を密封状態で押圧し、容器１００を再びシールする。そのとき、容器は頭部を下に向けて適当な面上に再配置することができ、製品が重力の作用により滴下して分配キャップ１に接触することが可能になる。容器１００はよって予備的操作を必要としないで繰り返しの使用ができる状態になる。
【００３１】
図６（ａ）から図６（ｃ）に示した好適な変形例では、流路６の第２の部分１４に軸線Ｘに沿って、壁部５を通って容器の内部に向けて延びる流路６の回りのリム部３２０が軸線Ｘに沿って連続している。このような構成によれば、シート部３２に密封状態で接触せしめられるようになったスカート部１９の領域は、この場合には、上記スカート部の自由縁部から離れて位置するスカート部の領域５１である。スカート部１９は取り付け部材８の外側に向けて折り返され、この場合は、リム部３２０を押しつけている。スカート部１９の長さは、折り返し位置において、スカート部１９の領域５１がリム部３２０の部分に密封状態で接触するように選択される。
図５（ａ）から図５（ｃ）を参照して今検討した実施態様は、移動部材７の構成において、また特に閉止部分２４が分配口９を形成するシート部２２を弾性的に押圧するようにされる様式が先の実施態様とは異なる。キャップ１の他の部分、特に空気の取り込みに関係する部品は全て先の実施態様のものと同一である。従って、この実施例に対してはそれらを再び説明することはしない。
【００３２】
この実施態様では、移動部材７の係止部分はワッシャー２８から形成されており、これは、複数の等間隔に離間したタブ部４０，４１により移動部材７の円筒状連結部材２７に接続され、製品のための複数の流路が上記タブ部４０，４１とワッシャー２８の内縁部４２の間に形成されている。スカート部４３は、自由端４４が取り付け部材８の基部１７に面するワッシャー２８の面に当接するまで、取り付け部材８の環状基部１７から軸方向に延びている。移動部材７の円筒状連結部材２７の長さは、自由端がワッシャー２８に係合しているスカート部４３が、容器内に圧力上昇がないときに部分的に圧縮されるように、選択される。よって、弾性復元力により、スカート部４３は閉止部分２４に作用して、分配口９を形成しているシート部２２を密封状態で押圧する。
【００３３】
図５（ａ）では、移動部材７の閉止部分２４は製品分配口９を形成しているシート部２２に密封状態で押しつけられている。同様に、シールリップ部２０は、流路６を形成する壁部５の縁部に形成された内方シート部３２に密封状態で押しつけられている。よって、空気取り込み流路３４，３５は上記リップ部２０によって容器１００の内部とは隔離されている。このような構造は容器が２回の使用の間にある構造に対応する。
図５（ｂ）では、容器１００の壁部１０９に圧力を作用させることにより、容器が含んでいる製品が加圧され、これが軸方向スカート部４３を更に圧縮し、移動部材７の閉止部分２４を付勢して分配口９を形成しているシート部２２から離脱させる。製品は部材７の閉止部分２４の直ぐ回りに形成された環状流路によって放出される。製品の放出は矢印３６、３７によって示されている。容器１００内に圧力上昇があるそのような配置では、シールリップ部２０がキャップの壁部５を貫通する流路６を囲むシート部３２を密封状態で押圧し、空気取り込み流路３４及び３５に製品が入るのを防止する。
【００３４】
図５（ｃ）では、使用者が容器１００の本体１０１への圧力の作用を解くと、容器の壁部１０９が弾性復元力によりその初期の形状に復帰し、容器内に減圧状態をつくりだす。この減圧状態が、取り付け部材８の軸方向スカート部４３の圧縮により作用せしめられる弾性復元力と組み合わされて、移動部材７の閉止部分２４が復帰して分配口９を形成しているシート部２２を密封状態で押圧し、製品の分配が妨げられる。容器内の減圧状態により、スカート部１９により形成されたシールリップ部２０が流路６を囲んでいるシート部３２から離脱する。よって、容器内の公称圧力が再確立されるまで流路３４及び３５を経由して空気が容器１００内に取り込まれる。矢印３８，３９は容器１００に向けての空気の流れを表している。その瞬間に、リップ部２０は弾性復元力により復元してシート部３２を密封状態で押圧し、容器１００を再びシールする。従って、容器は、適当な表面に頭部を下にして再配置することができ、製品を重力により滴下させて分配キャップ１に接触させることが可能になる。しかして、容器１００は、最初の操作を必要とすることなく繰り返しの使用ができる状態となる。
【００３５】
図６（ａ）及び６（ｂ）に示した第１の実施態様の変形例はまたこの第２の実施態様にも適用される。
丁度説明した実施態様は、閉止部分を小径部材の形態で製作することが可能になるので、特に有利である。従って、製品は先の実施態様に記載したものよりもより均一に出てくる。更に、特に取り付け部材８の場合において、成形のための幾何構造は先の実施態様のものよりも簡単である。
先の詳細な記述では、発明の幾つかの好ましい実施態様について言及した。特許請求の範囲に記載した発明の精神から逸脱しない限り、それに変形を加えることができることは明らかである。
【図面の簡単な説明】
【図１】  本発明の第１の実施態様に係るキャップが取り付けられた容器を示す。
【図２】  上記第１実施態様に係るキャップを装着するための閉止部材の展開斜視図である。
【図３】  （ａ）−（ｂ）は上記第１実施態様に係るキャップの取り付け状態を示している。
【図４】  （ａ）−（ｂ）は上記第１実施態様に係るキャップの操作状態を示している。
【図５】  （ａ）−（ｃ）は本発明の第２実施態様に係るキャップとその操作状態を示している。
【図６】  （ａ）−（ｃ）はキャップの第１実施態様の変形例を示している。
【符号の説明】
１              キャップ
７              移動部材
８              取り付け部材
９              製品分配口
２２            シート部
２４            閉止部分
３４，３５      空気取り込み流路
５０            シール部材
１００          容器
【図１】
0003674688.tif 000002
【図２】
0003674688.tif 000003
【図３】
0003674688.tif 000004
【図４】
0003674688.tif 000005
【図５】
0003674688.tif 000006
0003674688.tif 000007
【図６】
0003674688.tif 000008